(57)【要約】  雪面に限らず、芝面、砂面などを滑走する滑走遊技具であって、滑走面からプレイヤーが受ける衝撃を緩和すると共に、操作性に優れる滑走遊技具を提供する。  本発明は、滑走面と接触する下方板７と、この下方板７の上方に位置する上方板６と、下方板７の一端と上方板６の一端を連結するノーズ板８と、下方板７の他端と上方板６の他端を連結するテール板９と、を備え略筒状を呈する本体部２と、本体部２に内設されるとともに、平面視略Ｘ形状を呈するように下方板７の長手方向軸に対して斜めに配設された一対のブレードからなるブレード部３と、を有する遊技具１であって、それぞれのブレードは、板状弾性部材であり、下方板７の上面に接触される接触部と、ノーズ板８側及びテール板側に備えられる湾曲部と、上方板６の下面に固着される固着部と、を有することを特徴とする。
2009037750.tif 000002
【特許請求の範囲】
【請求項１】
滑走面と接触する下方板と、
この下方板の上方に位置する上方板と、
前記下方板の一端と前記上方板の一端を連結するノーズ板と、
前記下方板の他端と前記上方板の他端を連結するテール板と、を備え略筒状を呈する本体部と、
前記本体部に内設されるとともに、平面視略Ｘ形状を呈するように前記下方板の長手方向軸に対して斜めに配設された一対のブレードからなるブレード部と、を有する遊技具であって、
それぞれの前記ブレードは、板状弾性部材であり、
前記下方板の上面に接触される接触部と、
前記ノーズ板側及び前記テール板側に備えられる湾曲部と、
前記上方板の下面に固着される固着部と、を有することを特徴とする遊技具。
【請求項２】
前記上方板の前記ノーズ板側に立設されプレイヤーが把持するハンドル部を備えたハンドル機構部と、
前記上方板の前記テール板側に設置され前記プレイヤーが着座する座席部を備えた座席機構部と、を有することを特徴とする請求の範囲第１項に記載の遊技具。
【請求項３】
前記上方板の縁部から前記上方板の外側幅方向に突設された基軸部と、
前記基軸部対して回動可能に取り付けられた押し板と、を備え、
プレイヤーが前記押し板の下端を前記滑走面に押し当てて制動させるブレーキ部を有することを特徴とする請求の範囲第２項に記載の遊技具。
【請求項４】
前記ブレーキ部は、
前記基軸部に巻回されたコイルスプリングを備え、
前記コイルスプリングの一端は前記上方板に当接するとともに、前記コイルスプリングの他端は前記押し板の裏面に当接されることを特徴とする請求の範囲第３項に記載の遊技具。
【請求項５】
前記座席部と、前記上方板に設置される土台部と、前記座席部の前記ノーズ板側と前記土台部の前記ノーズ板側とを連結するヒンジ部と、を有する前記座席機構部と、
前記座席部の下方において、前記上方板の幅方向に延設される中空パイプと、
この中空パイプに挿入される軸部の端部から前記滑走面に向けて前記テール板側に傾斜して形成される接触部と、前記軸部の端部から延設されて前記座席部に当接される当接部と、を備えるストッパー部と、
前記中空パイプに巻回され、一端が前記座席部の裏側に当接されるとともに、他端が前記ストッパー部を保持するコイルスプリングと、を有し、
前記プレイヤーが前記座席部に着座すると、その荷重により前記当接部が前記軸部を中心に回転し、滑走面から前記接触部が離脱するとともに、前記プレイヤーが前記座席部から離れると、前記コイルスプリングの反力によって前記接触部が前記滑走面に接触することを特徴とする請求の範囲第２項に記載の遊技具。
【請求項６】
前記座席部の下部に突設された凸条と、前記土台部に凹設された凹部とが係合することを特徴とする請求の範囲第４項に記載の遊技具。
【請求項７】
前記下方板の一部に前記滑走面と接触するキャタピラを備えた駆動機構部を有することを特徴とする請求の範囲第１項に記載の遊技具。
【請求項８】
前記ブレードに走行面と接触するタイヤが取り付けられていることを特徴とする請求の範囲第１項に記載の遊技具。
【請求項９】
前記下方板の幅は、前記上方板の幅よりも狭いことを特徴とする請求の範囲第１項に記載の遊技具。
【請求項１０】
下方板とその上方に位置する上方板の間に内設されるとともに、平面視略Ｘ形状を呈するように前記下方板の長手方向軸に対して斜めに配設された一対のブレードからなる弾性機構であって、
それぞれの前記ブレードは、板状弾性部材であり、
前記下方板の上面に接触される接触部と、
前記接触部の両側に備えられる湾曲部と、
前記上方板の下面に固着される固着部と、を有することを特徴とする弾性機構。
【発明の詳細な説明】
【技術分野】
【０００１】
本発明は、雪面、芝面などを滑走する遊技具に関する。
【背景技術】
【０００２】
プレイヤーの自重により斜面を滑走する遊技具としては、雪面を滑走するスノーボードやそりが主に知られている。例えば、従来のスノーボードは、平面視略長円状に形成された一枚の板からなり、板の下面を滑走面、上面をプレイヤーが搭乗する搭乗面として使用するものである。プレイヤーは、体重移動（重心移動）を行うことで、板に力を伝達させて左右のターンなどを行うことができる（特開２００４−１６００９５号公報参照）。
【発明の開示】
【発明が解決しようとする課題】
【０００３】
しかしながら、従来のスノーボードやそりは、滑走面とプレイヤーの間には一枚の板しか介在しておらず、滑走面からプレイヤーが受ける衝撃は非常に大きいものであった。また、従来のスノーボードやそりは、一枚の板からなるものであるため、プレイヤーの体重移動（重心移動）が板に伝わりにくく、操作性に劣るという問題があった。【０００４】
本発明はかかる問題を解決するためになされたものであり、雪面に限らず、芝面、砂面などを滑走する遊技具であって、プレイヤーが滑走面から受ける衝撃を緩和すると共に、操作性の優れた遊技具を提供することを課題とする。また、衝撃を緩和することを実現する弾性機構を提供することを課題とする。
【課題を解決するための手段】
【０００５】
かかる課題を解決するために本発明は、滑走面と接触する下方板と、この下方板の上方に位置する上方板と、前記下方板の一端と前記上方板の一端を連結するノーズ板と、前記下方板の他端と前記上方板の他端を連結するテール板と、を備え略筒状を呈する本体部と、前記本体部に内設されるとともに、平面視略Ｘ形状を呈するように前記下方板の長手方向軸に対して斜めに配設された一対のブレードからなるブレード部と、を有する遊技具であって、それぞれの前記ブレードは、板状弾性部材であり、前記下方板の上面に接触される接触部と、前記ノーズ板側及び前記テール板側に備えられる湾曲部と、前記上方板の下面に固着される固着部と、を有することを特徴とする。【０００６】
かかる構成によれば、下方板と、この下方板の上方に位置する上方板とを、ノーズ板及びテール板で連結して略筒状に形成したため、ノーズ板及びテール板がクッションとしての役割を果たし、プレイヤーに与える衝撃を緩和することができる。また、本体部の内部に板状弾性部材からなるブレード部を備えているため、より衝撃を緩和することができる。また、ブレード部は、平面視してＸ形状を呈するように設けられているため、上方板に作用する体重移動（重心移動）に対して柔軟に対応することができる。これにより、遊技具の操作性を向上させることができる。【０００７】
また、本発明は、前記上方板の前記ノーズ板側に立設されプレイヤーが把持するハンドル部を備えたハンドル機構部と、前記上方板の前記テール板側に設置され前記プレイヤーが着座する座席部を備えた座席機構部と、を有することが好ましい。【０００８】
かかる構成によれば、例えばプレイヤーが上方板に着座してそりとして使用する場合において、座席部及びハンドル部を備えることで、プレイヤーの姿勢が安定するとともに、上方板から立設するハンドル部を備えたことで、体重移動が行い易い。これにより、操作性を向上させることができる。【０００９】
また、本発明は、前記上方板の縁部から前記上方板の外側幅方向に突設された基軸部と、前記基軸部対して回転可能に取り付けられた押し板と、を備え、プレイヤーが前記押し板の下端を前記滑走面に押し当てて制動させるブレーキ部を有することが好ましい。【００１０】
かかる構成によれば、例えばプレイヤーが上方板に着座してそりとして使用する場合において、ブレーキ部を備えることにより、例えばプレイヤーの足で押し板を押圧して遊技具を容易に停止させることができる。【００１１】
また、本発明は、前記ブレーキ部は、前記基軸部に巻回されたコイルスプリングを備え、前記コイルスプリングの一端は前記上方板に当接するとともに、前記コイルスプリングの他端は前記押し板の裏面に当接されることが好ましい。【００１２】
かかる構成によれば、例えばプレイヤーが上方板に着座してそりとして使用する場合において、プレイヤーの足を押し板から離すと、コイルスプリングのねじり反力により押し板が元の位置に戻ろうとするため、足と押し板の密着性を高めることができる。【００１３】
また、本発明は、前記座席部と、前記上方板に設置される土台部と、前記座席部の前記ノーズ板側と前記土台部の前記ノーズ板側とを連結するヒンジ部と、を有する前記座席機構部と、前記座席部の下方において、前記上方板の幅方向に延設される中空パイプと、この中空パイプに挿入される軸部の端部から前記滑走面に向けて前記テール板側に傾斜して形成される接触部と、前記軸部の端部から延設されて前記座席部に当接される当接部と、を備えるストッパー部と、前記中空パイプに巻回され、一端が前記座席部の裏側に当接されるとともに、他端が前記ストッパー部を保持するコイルスプリングと、を有し、前記プレイヤーが前記座席部に着座すると、その荷重により前記当接部が前記軸部を中心に回転し、滑走面から前記接触部が離脱するとともに、前記プレイヤーが前記座席部から離れると、前記コイルスプリングの反力によって前記接触部が前記滑走面に接触することが好ましい。【００１４】
かかる構成によれば、例えばプレイヤーが上方板に着座してそりとして使用する場合において、プレイヤーが座席部から離れると、コイルスプリングのねじり反力によって、ストッパー部が滑走面に接触するため、例えば、斜面においてプレイヤーが乗っていないのに遊技具が滑走してしまうことを防止することができる。また、プレイヤーが座席部に着座することにより、ストッパー部の軸部を中心に当接部が回転するとともに、接触部が滑走面から離脱するため、自動的にストッパーを解除することができる。【００１５】
また、本発明は、前記座席部の下部に突設された凸条と、前記土台部に凹設された凹部とが係合することが好ましい。【００１６】
かかる構成によれば、座席部の凸条と土台部の凹部が係合することにより、座席部を安定して形成することができる。【００１７】
また、本発明は、前記下方板の一部に前記滑走面と接触するキャタピラを備えた駆動機構部を有することが好ましい。【００１８】
かかる構成によれば、キャタピラによって斜面を自走することができる。【００１９】
また、本発明は、前記ブレードに走行面と接触するタイヤが取り付けられていることが好ましい。【００２０】
かかる構成によれば、雪面だけでなく平坦な地面や路面などの走行面においても使用することができる。【００２１】
また、本発明は、前記下方板の幅が前記上方板の幅よりも狭いことが好ましい。【００２２】
かかる構成によれば、滑走面との摩擦抵抗が小さくなり、滑走スピードを上げることができると共に、体重を伝達させる範囲が小さくなるため、ターンを容易に行うことができる。【００２３】
また、前記した課題を解決するために本発明は、下方板とその上方に位置する上方板の間に内設されるとともに、平面視略Ｘ形状を呈するように前記下方板の長手方向軸に対して斜めに配設された一対のブレードからなる弾性機構であって、それぞれの前記ブレードは、板状弾性部材であり、前記下方板の上面に接触される接触部と、前記接触部の両側に備えられる湾曲部と、前記上方板の下面に固着される固着部と、を有することを特徴とする。【００２４】
かかる構成によれば、上方板と下方板との間に、板状弾性部材が介設されており、当該板状弾性部材の湾曲部がクッションの役割を果たすため、上方板が受ける衝撃を緩和することができる。また、一対の板状弾性部材が平面視してＸ形状に配設されているため、様々な方向から上方板に作用する荷重（力）に対して柔軟に対応することができる。
【発明の効果】
【００２５】
本発明によれば、雪面に限らず、芝面、砂面などを滑走する遊技具であって、プレイヤーが滑走面から受ける衝撃を緩和すると共に、操作性の優れた遊技具を提供することができる。また、衝撃を緩和することを実現する弾性機構を提供することができる。
【図面の簡単な説明】
【００２６】
【図１】第一実施形態に係る遊技具を示す斜視図である。
【図２】第一実施形態に係る遊技具を示す側面図であり、（ａ）は、遊技具の側面図、（ｂ）は、本体部の側面図、（ｃ）は、（ｂ）におけるＦ−Ｆ断面図、（ｄ）は、（ｃ）のＧ部分における拡大図である。
【図３】第一実施形態に係る遊技具を示す平面図である。
【図４】第一実施形態に係る遊技具を示す背面図である。
【図５】第一実施形態に係る遊技具を示す図であって、ノーズ板側から見た正面図である。
【図６】第一実施形態に係るブレードを示す図であって、（ａ）は、斜視図、（ｂ）は、（ａ）のＨ−Ｈ断面図、（ｃ）は、（ｂ）のＩ部分の拡大図である。
【図７】図２のＤ−Ｄ断面図である。
【図８】図２のＥ−Ｅ断面図である。
【図９】図４のＡ−Ａ断面図である。
【図１０】図４のＢ−Ｂ断面図である。
【図１１】図４のＣ−Ｃ断面図である。
【図１２】第一実施形態に係る遊技具の静止状態を示した図であって、プレイヤーの体重が垂直に作用した状態を示した正面図である。
【図１３】第一実施形態に係る遊技具の動作状態を示した図であって、プレイヤーが進行方向に沿って、左足に体重を移動させた状態を示す。
【図１４】第一実施形態に係る遊技具の動作状態を示した図であって、（ａ）は、プレイヤーが左足前側（つま先側）に体重移動を行った状態を示した正面図であって、（ｂ）は、プレイヤーが左足後側（かかと側）に体重移動を行った場合を示した正面図である。
【図１５】第一実施形態に係る遊技具の動作状態を示した図であって、すり付け部Ｌａにおいて、中央部Ｃ方向を向いた場合の断面図である。
【図１６】第一実施形態に係る遊技具の動作状況を示した図であって、ターンを行った場合の斜視図である。
【図１７】第二実施形態を示した斜視図である。
【図１８】第三実施形態を示した図であって、（ａ）は、遊技具を示した斜視図であり、（ｂ）は、（ａ）のＶ−Ｖ断面図、（ｃ）は、本体部を示した側断面図である。
【図１９】第三実施形態に係る支承部を示した図であって、（ａ）は、斜視図、（ｂ）は、側面図である。
【図２０】第三実施形態に係る接合部を示した拡大側面図である。
【図２１】第四実施形態に係る遊技具を示した側面図である。
【図２２】第四実施形態に係る遊技具を示した平面図である。
【図２３】図２１のＩ−Ｉ断面図である。
【図２４】図２２のII−II断面図である。
【図２５】図２２のIII−III断面図である。
【図２６】図２２のIV−IV断面図である。
【図２７】図２２のV−V断面図である。
【図２８】図２２のVI−VI断面図である。
【図２９】図２２のVII−VII断面図である。
【図３０】第四実施形態に係るストッパー部の平面図である。
【図３１】第五実施形態に係る遊技具の進行方向後方側を示した一部破断側面図である。
【図３２】第五実施形態に係る遊技具の進行方向後方側を示した一部破断平面図である。
【図３３】第六実施形態に係る遊技具を示した一部破断平面図である。
【図３４】第六実施形態のタイヤを示した斜視図である。
【図３５】第六実施形態のタイヤを示した側面図である。
【図３６】第六実施形態に係る遊技具の動作を示した一部破断平面図である。
【符号の説明】
【００２７】
１      遊技具
２      本体部
３      ブレード部
３ａ    上層ブレード
３ｂ    下層ブレード
６      上方板
７      下方板
８      ノーズ板
９      テール板
２１０  ハンドル機構部
２３０  座席機構部
【発明を実施するための最良の形態】
【００２８】
本発明の実施形態について図面を参照して詳細に説明する。説明において、同一の要素には同一の番号を付し、重複する説明は省略する。なお、説明における上下、左右、前後は、特に断りがない限り図１の矢印に従う。【００２９】
＜第一実施形態＞
図１及び図２に示すように、第一実施形態にかかる遊技具１は、略長円筒状を呈する本体部２と、上層ブレード３ａ及び下層ブレード３ｂとからなるブレード３部と、本体部２の上方板６及び滑走板７の間に介設されるスプリング４と、上層ブレード３ａと下層ブレード３ｂが交差する部分（中央部Ｃ）に配設される支承部５，５（図２参照）とからなる。【００３０】
本体部２は、図１及び図２に示すように、プレイヤーＰが搭乗する上方板６と、滑走面と接する滑走板７と、上方板６の左側端と滑走板７の左側端を連結するノーズ板８及び上方板６の右側端と滑走板７の右側端を連結するテール板９とからなる。本体部２は、図２の（ａ）及び（ｂ）に示すように、側面視略長円状を呈しており、垂直軸Ｚに対して略左右対称である。【００３１】
上方板６は、図３に示すように、中央にくびれＫを有する平面視略長円状であって、長手方向軸Ｘ及び幅方向軸Ｙに対して対称となるように形成されている。
上方板６の上面は、プレイヤーＰが搭乗する平坦な搭乗部１１，１１を有する。上方板６の下面は、後記するブレード３が固着されている。搭乗部１１の上面には、プレイヤーＰの足を固定するために、足固定具Ｔ（図１参照）が設置されている。足固定具Ｔの位置は、プレイヤーＰの身長、プレイスタイル等に合わせて適宜調節することができる。足固定具Ｔは、ビンディング等公知の技術を用いればよい。なお、くびれＫは、設けなくてもよい。【００３２】
滑走板７は、図２の（ｃ）、（ｄ）及び図４に示すように、平坦な板であって、両外側端部１３，１３には、炭素鋼からなる第一エッジ１４ａ，１４ｂが配設されている。滑走板７の上面は、後記するブレード３と接触する。また、図４に示すように、両外側端部１３，１３には第一サイドカーブＲ（例えば、サイドカーブ半径８．８ｍ）が設けられている。滑走板７の幅は、図５に示すように、上方板６の幅よりも狭く形成されている。なお、第一実施形態においては、外側端部１３に第一サイドカーブＲを設けたが、これに限定される趣旨ではなく、外側端部１３を直線に形成してもよい。【００３３】
ノーズ板８は、図１及び図２に示すように、上方板６の左側端と滑走板７の左側端を連結し、テール板９は、上方板６の右側端と滑走板７の右側端を連結する。ノーズ板８及びテール板９はそれぞれ両外側に突出するように湾曲形成されている。【００３４】
なお、第一実施形態においては、滑走板７は平板状に形成したが、これに限定されるものではなく、滑走板７の中央部を盛り上げるようにしてキャンバー（図示省略）を設けてもよい。
また、第一実施形態においては、本体部２は、長手方向軸Ｘ、幅方向軸Ｙ及び垂直軸Ｚに対して略対称となるように形成することにより、進行方向に対して左右のどちらの足が前であっても均等に対応することができる。第一実施形態においては、本体部２は、上記のように形成したが、本発明を限定される趣旨ではなく、非対称となるように形成されてもよい。
また、第一実施形態においては、ノーズ板８及びテール板９は、上記のように形成したが、これに限定される趣旨ではなく、例えば、滑走板７に対して垂直になるように形成してもよい。また、ノーズ板８、テール板９は、流線型となるように形成してもよい。【００３５】
ブレード部３は、図６に示すように、平面視略Ｘ形状を呈し、上側に位置する上層ブレード３ａ、下側に位置する下層ブレード３ｂからなる。上層ブレード３ａ及び下層ブレード３ｂは、板を折り曲げて形成された板状弾性部材である。上層ブレード３ａ及び下層ブレード３ｂは、略同等の形状からなり側面視略Ｃ字状を呈する。ブレード部３は、本体部２に内設されることで、弾性を高めるものである。なお、本発明において、ブレード部３を弾性機構部ともいう。【００３６】
以下、説明において、図１に示すように、左側にプレイヤーＰの左足が乗るものとする。
上層ブレード３ａは、図１及び図６に示すように、左足前側（つま先側）部分において上方板６の下面に固着される左足前側固着部３１と、左足前側固着部３１の下方に位置し、滑走板７の上面に接触される左足前側接触部３２と、左足前側固着部３１と左足前側接触部３２とを連結する左足前側湾曲部３３と、右足後側（かかと側）部分において上方板６の下面に固着される右足後側固着部３４と、右足後側固着部３４の下方に位置し、滑走板７の上面に接触される右足後側接触部３５と、右足後側固着部３４と右足後側接触部３５とを連結する右足後側湾曲部３６とを有する。【００３７】
下層ブレード３ｂは、図１及び図６に示すように、左足後側（かかと側）部分において上方板６の下面に固着される左足後側固着部３７と、左足後側固着部３７の下方に位置し、滑走板７の上面に接触される左足後側接触部３８と、左足後側固着部３７と左足後側接触部３８とを連結する左足後側湾曲部３９と、右足前側（つま先側）部分において上方板６の下面に固着される右足前側固着部４０と、右足前側固着部４０の下方に位置し、滑走板７の上面に接触される右足前側接触部４１と、右足前側固着部４０と右足前側接触部４１とを連結する右足前側湾曲部４２とを有する。
なお、左足前側固着部３１、右足後側固着部３４、左足後側固着部３７及び右足前側固着部４０を単に固着部ともいう。また、左足前側接触部３２、右足後側接触部３５、左足後側接触部３８及び右足前側接触部４１を単に接触部ともいう。また、左足前側湾曲部３３、右足後側湾曲部３６、左足後側湾曲部３９及び右足前側湾曲部４２を単に湾曲部ともいう。【００３８】
ブレード部３は、図４及び図７に示すように、滑走板７の外側端部１３，１３よりも外側に突出した突出部４３（４３ａ〜４３ｄ）を有する。図６の（ｂ），（ｃ）に示すように、突出部４３ｂの外側端部４４ｂには、炭素鋼からなる第二エッジ４５ｂが配設されている。突出部４３ａ，４３ｃ，４３ｄにも同様にして、第二エッジ４５ａ，４５ｃ，４５ｄが配設されている。図７に示すように、突出部４３の外側端部４４（４４ａ〜４４ｄ）に形成されている第二サイドカーブｒは、滑走板７の外側端部１３，１３に形成されている第一サイドカーブＲよりも小さい半径（大きい曲率）である。ブレード３は、図７に示すように、滑走板７の中央部Ｃから左足前側接触部３２、右足後側接触部３５、左足後側接触部３８及び右足前側接触部４１の各長手方向に、ねじれを備えたすりつけ部Ｌ（Ｌａ〜Ｌｄ）を有する。【００３９】
なお、ブレード部３と滑走板７の上面は、図１及び図６の（ａ）に示すように、左足前側接触部３２、右足後側接触部３５、左足後側接触部３８及び右足前側接触部４１において接触する。ブレード部３は、滑走板７の上面と接触するのみであるため、滑走板７の上面を摺動することができる。【００４０】
また、図８に示すように、左足前側固着部３１、右足後側固着部３４と、左足後側固着部３７と、右足前側固着部４０は、上方板６の下面に固着されている。【００４１】
ブレード部３の交差部分では、図９に示すように、上層ブレード３ａ、下層ブレード３ｂ、上方板６及び滑走板７が略平行に積層されている。上層ブレード３ａ及び下層ブレード３ｂの断面は、下方に向けて若干湾曲している。これは、ブレード部３が滑走面に食い込みやすくするためのものであって、必ずしも設けるものではない。【００４２】
図１０に示すように、上層ブレード３ａ及び下層ブレード３ｂは、すり付け部Ｌｄ及びＬｂにおいて（図７参照）、略山形を呈するようにねじれ角α、βを有する。即ち、上層ブレード３ａは、上層ブレード３ａの中心における水平軸ｈから反時計回りに所定の角度でねじれている。一方、下層ブレード３ｂは、下層ブレード３ｂの中心における水平軸ｆから時計回りに所定の角度でねじれている。なお、すり付け部Ｌａ、Ｌｃにおいても同様にねじれ角を有する。【００４３】
図９に示すように、中央部Ｃにおいてねじれ角は０°である。また、図１１に示すように、接触部３５，４１においてねじれ角は０°である（接触部３２，３８においても同様）。即ち、すりつけ部Ｌａ〜Ｌｄ（図７参照）は、中央部Ｃから接触部３２，３５，３８及び４１までの略中間において、ねじれ角α、βが最大となるようにすり付けられている。また、上層ブレード３ａに係るねじれ角αは、下層ブレード３ｂに係るねじれ角βよりも大きくなるように形成されている。これは、下層ブレード３ｂに比べて、上層ブレード３ａの方が上方に位置するため、すり付けの距離が長くなることに起因するものである。ねじれ角α及びβは、０°＜α＜４５°、０°＜β＜４５°であることが好ましい。【００４４】
図１１に示すように、接触部３５，４１において、突出部４３ｂ、４３ｄに係る外側端部４４ｂと４４ｄの高さ位置は、同等となる（接触部３２，３８の外側端部４４ａと４４ｃも同様）。即ち、外側端部４４ｂの第二エッジ４５ｂから滑走面までの距離と、外側端部４４ｄの第二エッジ４５ｄから滑走面までの距離は同等となる。これにより、プレイヤーＰは、左右のターンにおいて偏りのないターンを行うことができる。【００４５】
なお、第一実施形態においては、上記のようにブレード３を配設したが、これに限定されるものではない。例えば、すり付け部Ｌは設けなくてもよい。また、例えば、接触部（３２，３５，３８及び４１）の位置において、ブレード部３にねじれ角を設けてもよい（図示省略）。【００４６】
スプリング４は、図９に示すように、本体部の中央部Ｃにおいて、上方板６の下面と、上層ブレード３ａの上面の間に介設されている。スプリング４の上端及び下端には、スプリング４と、上方板６及び上層ブレード３ａを密着させるためにゴムＭが取り付けられている。第一実施形態におけるスプリング４の大きさは、直径約８ｃｍである。なお、ゴムＭは用いなくてもよい。上方板６と滑走板７の間にスプリング４を介設することにより、上方板６と滑走板７のクッション性が高まることから、上方板６と滑走板７が受ける垂直荷重に対して柔軟に対応することができる。【００４７】
なお、第一実施形態においては、上方板６と滑走板７の間に介設する弾性体としてスプリング４を用いたが、これに限定される趣旨ではない。例えば、ゴム等（図示省略）の公知の弾性体を用いてもよい。弾性体の大きさ、種類等は本体部２の大きさ、素材及びプレイヤーＰの体重、プレイスタイル等を考慮して適宜選択すればよい。また、第一実施形態においてはスプリング４を１本用いたが、これに限定されるものではなく、複数本用いてもよい。また、スプリング４の位置も限定されるものではない。【００４８】
支承部５は、図９に示すように、球体が内装されたボールトランスファーであって、ブレード３を滑らかに摺動させるものである。支承部５は、第一実施形態においては、例えば、フリーベアコーポレーション社製（フリーベア：Ｃ−８Ｓ）を使用する。
支承部５は、図２及び図９に示すように、中央部Ｃにおいて、上層ブレード３ａの下面と下層ブレード３ｂの上面の間及び下層ブレード３ｂの下面と滑走板７の上面の間の二箇所に介設されている。一方の支承部５は、支承部５に内装された球体が上層ブレード３ａの下面に接触するように形成されている。他方の支承部５は、支承部５に内装された球体が滑走板７の上面に接触するように形成されている。【００４９】
ブレード部３は、後記するようにプレイヤーＰの体重移動に伴って摺動するものである。従って、上層ブレード３ａと下層ブレード３ｂの交差する部分、下層ブレード３ｂと滑走板７が交差する部分に支承部５を介設することにより、ブレード部３を円滑に摺動させることができる。
なお、第一実施形態においては、支承部５の球体が接触する位置において、上層ブレード３ａの下面及び滑走板７の上面には、より円滑に摺動させるために、鉄板（図示省略）が設置されている。第一実施形態においては、支承部５にボールトランスファーを用いたが、これに限定されるものではなく、接触する板同士を円滑に摺動させる公知の手段を用いればよい。【００５０】
なお、第一実施形態においては、第一エッジ１４及び第二エッジ４５は、炭素鋼を用いたが、これに限定されるものはなく、他の材料を用いもてよい。【００５１】
＜製造方法＞
次に、遊技具１の製造方法について説明する。
本体部２は、弾性に富み、高強度の炭素繊維強化プラスチック（ＣＦＲＰ）からなり、一体形成される。図２の（ｃ）に示すように、第一実施形態における本体部２（炭素繊維強化プラスチック板５１）は、筒状の型枠に、市販されているプリプレグを繊維の配向方向を変えながら積層させた後に硬化させたものである。第一実施形態においては、プリプレグは、例えば、東邦テナックス製のＢｅｓｆｉｇｈｔ（登録商標）〔原糸：ＨＴＡ−１２Ｋ、エポキシ樹脂３７質量％含有〕が挙げられる。
そして、図２（ｃ）及び（ｄ）に示すように、滑走板７は、炭素繊維強化プラスチック板５１の下面にポリエチレン板５２をエポキシ樹脂系接着剤で接着させて形成されている。そして、ポリエチレン板５２の両端には、山形状に形成された炭素鋼からなる第一エッジ１４ａ，１４ｂを嵌め込み、炭素繊維強化プラスチック板５１及びポリエチレン板５２に第一エッジ１４ａ，１４ｂを圧着させる。【００５２】
なお、本体部２の素材は炭素繊維強化プラスチックに限定するものではなく、例えば、ガラス繊維強化プラスチック（ＧＦＲＰ）、アクリルニトリルブタジエンスチレン（ＡＢＳ）等であってもよい。また、樹脂製に限らず、木製、金属製等であってもよい。軽量であり、耐久性、弾性及び強度に優れる素材であることが好ましい。
また、本体部２は、第一実施形態においては、一体的に形成されたが、これに限定される趣旨ではなく、例えば、上方板６、滑走板７、ノーズ板８及びテール板９を個別に形成した後に、それぞれの板を接合してもよい。
また、本体部２は、炭素繊維強化プラスチック板５１，５１を２枚用いて、炭素繊維強化プラスチック板５１，５１の間に木板や発泡ポリウレタン等を介設させて、いわゆるサンドイッチ構造により製造してもよい。【００５３】
ブレード部３は、図６の（ａ）、（ｂ）及び（ｃ）に示すように、固着部（３１，３４，３７及び４０）及び突出部４３を形成した細長の炭素繊維強化プラスチック板５１の両端を湾曲させ、上方板６の下面にエポキシ樹脂系接着剤で固着する。具体的には、上層ブレード３ａと下層ブレード３ｂの略中央を交差させて、左足前側固着部３１及び右足後側固着部３４、左足後側固着部３７及び右足前側固着部４０を上方板６の下面で固着する（図８参照）。そして、外側端部４４（４４ａ〜４４ｄ）に第二エッジ４５（４５ａ〜４５ｄ）を配設する。なお、上層ブレード３ａ及び下層ブレード３ｂの中心は、本体部２の中央部Ｃと重なることが望ましい（図７参照）。【００５４】
なお、ブレード部３は、第一実施形態においては、炭素繊維強化プラスチックを用いたが、これに限定される趣旨ではなく、例えば、ガラス繊維強化プラスチック（ＧＦＲＰ）、アクリル二トリルブタジエンスチレン（ＡＢＳ）等であってもよい。また、樹脂製に限らず、木製、金属製等であってもよい。ブレード３は、軽量であり、弾性、耐久性及び強度に優れる素材であることが好ましい。また、本体部２とブレード３は、異なる素材であってもよい。【００５５】
そして、上層ブレード３ａと下層ブレード３ｂの間及び下層ブレード３ｂと滑走板７の上面の間に、支承部５，５を介設する（図２参照）。また、支承部５の球体が接触する上層ブレード３ａの下面及び滑走板７の上面に、鉄板を埋設する。なお、スプリング４及び支承部５の中心は、本体部２の中央部Ｃと重なることが望ましい。なお、第一実施形態においては、支承部５の球体と、上層ブレード３ａの下面及び滑走板７の上面を当接させているが（図９参照）、これに限定されるものではない。【００５６】
そして、上方板６と上層ブレード３ａの間に、スプリング４を介設する。スプリング４の上端と上方板６の下面及びスプリング４の下端と上層ブレード３ａの上面は第一実施形態においては、エポキシ樹脂系接着剤で固着する。なお、スプリング４は、必ずしも固着されるものではなく、スプリング４の弾性を利用して上方板６の下面と上層ブレード３ａ上面に当接するだけでもよい。【００５７】
また、ブレード部３と上方板６の下面の固着方法は、第一実施形態においては、エポキシ樹脂系接着剤を用いたが、これに限定される趣旨ではない。他の接着剤を用いてもよいし、ネジ等の締結具（図示省略）を用いて両者を固着させてもいい。締結具と接着剤を併用して固着させてもよい。【００５８】
図１〜図４に示すように、第一実施形態に係る遊技具１の長手方向の長さは、約１５０ｃｍ、滑走板７の下面から、上方板６の上面までの長さは約２０ｃｍである。本体部２の厚さは約１．５ｃｍである。上方板６の幅は最大約３５ｃｍで、くびれＫの部分は２５ｃｍである。滑走板７の幅は２２ｃｍである。図４に示すように、滑走板７の第一サイドカーブＲの半径は、約８．８ｍ（図４参照）であり、ブレード３の第二サイドカーブｒの半径は、約８．２ｍである。なお、第一実施形態における第一サイドカーブＲ、第二サイドカーブｒは、円弧より形成されているがこれに限定されるものではなく、二次曲線等に基づき形成されてもよい。
なお、これらの寸法は、本発明を限定するものではない。
また、上記した製造方法はあくまで例示であって、本発明を限定するものではない。【００５９】
＜動作状況＞
次に、遊技具１の動作状況について説明する。なお、第一実施形態の説明においては、雪面（ゲレンデ）を滑走する場合について説明する。
遊技具１は、図１に示すように、上方板６に固定された足固定具Ｔ，ＴにプレイヤーＰの足を固定し、斜面（滑走面）に向うと、プレイヤーＰの自重により滑走面を滑走するものである。第一実施形態においては、左足が滑走面の進行方向に向うものとする。
なお、第一実施形態説明において、圧縮とは、プレイヤーＰの体重が滑走板７に対して垂直に作用している場合を静止状態とすると、プレイヤーＰが体重を移動させることにより、上方板６と滑走板７の距離（固着部と接触部の距離）が静止状態よりも短くなることをいう。また、開放とは、上方板６と滑走板７の距離（固着部と接触部の距離）が静止状態よりも長くなることをいう。【００６０】
（真直ぐ滑る場合）
プレイヤーＰは、図１２に示すように、プレイヤーＰの体重を滑走板７に対して垂直に作用させることにより、真直ぐ滑ることができる。即ち、プレイヤーＰの体重が滑走板７に対して垂直に作用する場合、ブレード３に配設されている第二エッジ４５ａ、４５ｃは、滑走面Ｓと接触しないため、滑走板７の下面の略全面が滑走面と接触して真直ぐ滑ることができる。
なお、図１３に示すように、プレイヤーＰが進行方向に沿って左足に体重移動を行うと、左足側の上方板６と滑走板７の間が圧縮される（矢印５５）と共に、ブレード３の反作用により、右足側の上方板６と滑走板７の間は開放される（矢印５６）ため、体重移動をスムーズに行うことができる。【００６１】
（ターンを行う場合）
第一実施形態に係る遊技具１は、図１４に示すように、プレイヤーＰが体重を移動させ、第一エッジ１４若しくは第二エッジ４５を滑走面Ｓに接触させる（食い込ませる）ことにより、ターンを行うものである。【００６２】
ここで、プレイヤーＰが進行方向に対して右にターンする場合について説明する（図１６の矢印６２方向）。
プレイヤーＰが、左足前側（つま先側）に体重を移動させると、図１４の（ａ）に示すように、左足前側（つま先側）における上方板６及び滑走板７の間が圧縮される（矢印５７）と共に、上方板６及び滑走板７の後側（かかと側）が解放され（矢印５８）、遊技具１が全体的に角度γ傾き第一エッジ１４ａが滑走面Ｓを捉える。
また、このとき、上層ブレード３ａの突出部４３ａが体重移動方向に押し出されるため、第二エッジ４５ａが滑走面Ｓに食い込み、よりシャープにターンを行うことができる。【００６３】
即ち、プレイヤーＰが、左足前側（つま先側）に体重を移動させると、左足前側固着部３１と左足前側接触部３２の間が圧縮されると共に、その反作用として、右足後側固着部３４と右足後側接触部３５の間が開放される（図６参照）。この際、上層ブレード３ａの左足前側固着部３１と右足後側固着部３４は、上方板６の下面に固着されているが、左足前側接触部３２と右足後側接触部３５は、滑走板７の上面と接触しているだけであるため、突出部４３ａはプレイヤーＰの体重移動に伴って摺動する。
そして、図１５に示すように、上層ブレード３ａの左足前側固着部３１と左足前側接触部３２（図６参照）の間が圧縮されると、上層ブレード３ａは、すり付け部Ｌａに設けられたねじれにより、矢印６０方向に回転する。上層ブレード３ａは、両端を左足前側固着部３１と右足後側固着部３４で固着されているため、突出部４３ａは滑走板７の上面と摺動して体重移動方向に押し出される（矢印６１）。これにより、図１４の（ａ）に示すように、突出部４３ａに備えられている第二エッジ４５ａが、滑走面Ｓに食い込む。【００６４】
なお、この際、中央部Ｃにおける上層ブレード３ａ、下層ブレード３ｂ及び支承部５，５は、後側（かかと側）に向かって摺動する。即ち、静止状態では、図９に示すように、上層ブレード３ａ、下層ブレード３ｂ及び支承部５，５のそれぞれの中心は、中央部Ｃと略重なる。しかし、プレイヤーＰが左足前側（つま先側）に体重を移動させることにより、上層ブレード３ａ、下層ブレード３ｂ及び支承部５，５は、かかと側に押し出されるように摺動する。【００６５】
また、図１６に示すように、左足前側（つま先側）に体重を移動させると、右足のつま先側にも負荷がかかるため、右足前側固着部４０と右足前側接触部４１の間が圧縮される（矢印５９）。あくまで、プレイヤーＰの体重は左足前側にかかっているため、右足前側固着部４０と右足前側接触部４１の間よりも、左足前側固着部３１と左足前側接触部３２の間方が圧縮されている。突出部４３ｄは、上記した４３ａと略同様の作用により、プレイヤーＰの移動に伴って摺動すると共に、滑走面Ｓに向って押し出されるため、第二エッジ４５ｄが滑走面Ｓに食い込む（矢印６３）。【００６６】
以上より、突出部４３ａに配設された第二エッジ４５ａと滑走板７に配設された第一エッジ１４ａと突出部４３ｄに配設された第二エッジ４５ｄが滑走面を捉える。また、第二エッジ４５ａ，４５ｄを備える突出部４３ａ，４３ｄには、滑走板７の第一サイドカーブＲよりも小さい半径の第二サイドカーブｒ（図７参照）が備えられているため、プレイヤーＰは、よりシャープにターンを行うことができる。
また、突出部４３ａ，４３ｄがプレイヤーＰの体重移動に伴って滑走面Ｓ方向に押し出されるため、ターンを行っている間に、第二エッジ４５ａ，４５ｄが滑走面Ｓの衝撃に弾かれることなく、滑走面Ｓに接触し続けることができる。
また、プレイヤーＰは、矢印６２の方向にターンを行いながら、右足の前側（つま先側）に体重を移動させると（大きい負荷をかけると）、突出部４３ｄに配設されたエッジ４５ｄが滑走面Ｓにさらに食い込むため、鋭いターンができると共に、制動することができる。【００６７】
なお、上記と逆にターンしたい場合は、図１４の（ｂ）に示すように、左足後側（左足かかと側）に体重を移動させて、ターンすることができる。
また、右足前側（つま先側）及び右足後側（かかと側）に体重を移動させても、同様の動作を行うことができる。【００６８】
また、プレイヤーＰは、プレイヤーＰの体重の移動加減によって、第一エッジ１４又は第二エッジ４５を使い分けることができるため、バラエティーに富んだターンを行うことができる。【００６９】
また、プレイヤーＰが、左足前側（左足のつま先側）に体重を移動させると、図１４（ａ）に示すように、前側の上方板６と滑走板７の間が圧縮される（矢印５７）と同時に、後側（かかと側）の上方板６と滑走板７が開放される（矢印５８）。このとき、ブレード３は、図６に示すように、平面視略Ｘ形状に配設されているため、左足前側固着部３１と左足前側接触部３２の間が圧縮されると共に、その反作用として、右足後側固着部３４と右足後側接触部３５の間が開放され、長手方向軸の斜め方向に対して体重移動をスムーズに行うことができる。【００７０】
第一実施形態に係る遊技具１によれば、本体部２を略筒状に形成し、滑走板７とこの滑走板７の上方に位置する上方板６をノーズ板８及びテール板９で連結することにより、ノーズ板８及びテール板９がクッションとしての役割を果たすため、プレイヤーＰの足に受ける衝撃を緩和することができる。また、プレイヤーＰの足に受ける衝撃が緩和されることにより、従来とは異なるすべり心地、感触を得ることができる。また、ブレード部３（弾性機構）が本体部２に内設されているため、衝撃をより吸収することができる。【００７１】
また、遊技具１は、滑走板７の外側端部１３に第一サイドカーブＲが形成されているため、第一エッジ１４がこの第一サイドカーブＲに沿って滑走面Ｓを捉えるため滑らかにターンを行うことができる。【００７２】
また、ブレード３は、滑走板７の外側端部１３に設けられた第一エッジ１４よりも、さらに外側に位置する第二エッジ４５を備えた突出部４３を有する。ブレード３は、プレイヤーＰが体重移動を行うと、体重移動方向にブレード３が摺動し、突出部４３に配設された第二エッジ４５が滑走面Ｓを捉える。突出部４３の外側端部４４には、滑走板７の第一サイドカーブＲよりも大きい曲率からなる第二サイドカーブｒが配設されていることから、よりシャープなターンを行うことができる。【００７３】
また、遊技具１は、平面視Ｘ形状を呈するように、滑走板７の長手方向軸Ｘに対して斜めに２本の上層ブレード３ａ、下層ブレード３ｂが設けられるため、例えば左足前側（つま先側）に体重をかけると、左足前側固着部３１と左足前側接触部３２の間が圧縮されると同時に、その反作用として、右足後側固着部３４と右足後側接触部３５の間が開放され、プレイヤーＰの体重移動をスムーズに行うことができる。【００７４】
また、遊技具１は、支承部５を有するため、接触する滑走板７とブレード部３に生じる摩擦を軽減することができ、ブレード３を滑らかに摺動させることができる。【００７５】
また、遊技具１は、上方板６と滑走板７の間にスプリング４を介設することにより、上方板６と滑走板７のクッション性が高まることから、上方板６と滑走板７が受ける垂直荷重に対して柔軟に対応することができる。【００７６】
また、滑走板７の幅は、上方板６の幅よりも狭いため、滑走板７との摩擦抵抗が小さくなり、滑走スピードが増すと共に、体重移動の可動範囲が小さくなるため、ターンを容易に行うことができる。【００７７】
以上、本発明に係る実施形態について図面を参照して詳細に説明したが、本発明はこれに限られるものではなく、本発明の趣旨を逸脱しない範囲において適宜変更可能である。【００７８】
＜第二実施形態＞
第一実施形態及び第二実施形態は、遊技具１，７１の長手方向に対して略直角になるように、プレイヤーＰの足を固定させたが、これに限定される趣旨ではない。例えば、図１７に示すように、遊技具９０，９０のそれぞれにプレイヤーＰの足を片足ずつ固定させてもよい。その際、プレイヤーＰの足は遊技具１の長手方向に対して平行となるように固定される。
遊技具９０は、第二実施形態においては、上方板９１及び滑走板９２を有する本体部９３と、ブレード９４、スプリング９５、支承部（図示省略）からなる。上方板９１及び滑走板９２の幅は、プレイヤーＰの足の幅よりもやや広く形成されている。遊技具９０の長手方向の長さは、上記した遊技具１よりも短く形成されており、約１００ｃｍである。プレイヤーＰの足は、スプリング９５の略上方に固定される。
なお、製造方法及び動作は第一実施形態と略同等であるため省略する。【００７９】
なお、第二実施形態においては、遊技具９０を上記のように形成したが、これに限定される趣旨ではなく、プレイヤーＰの身長、プレイスタイルに応じて遊技具９０の長さ、幅等を適宜決定すればよい。【００８０】
＜第三実施形態＞
第三実施形態に係る遊技具１１０は、図１８に示すように、上方板１１６の構造及び支承部１３０の構造において他の実施形態と相違する。
遊技具１１０に係る上方板１１６には、図１８の（ａ）及び（ｃ）に示すように、中央部Ｃから略等間隔に離間した凹部１２０，１２０が形成されている。凹部１２０は、図１８の（ｃ）に示すように、上方板１１６の一部を滑走板１１７側に向けて窪ませて形成されている。凹部１２０の底面は、平坦に形成されており、足固定具Ｔを介してプレイヤーＰの足が固定される。【００８１】
このように上方板１１６に凹部１２０を設けることで、プレイヤーＰの足の高さ位置を下げることができるため、遊技具１１０への乗り降りが容易になる。また、プレイヤーＰの足から滑走板１１７までの距離が短くなるため、プレイヤーＰの体重移動を滑走板１１７に伝達しやすくなり、よりスムーズに滑走することができる。なお、上方板１１６の中央部Ｃにおいては、図１８の（ｂ）に示すように、上方板１１６の両端が下方に湾曲するように形成してもよい。【００８２】
なお、第三実施形態においては、図１８の（ｃ）に示すように、中央部Ｃにおける上方板１１６の高さは、凹部１２０の底面よりも高い位置になっているが、これに限定されるものではない。例えば、一の凹部１２０を形成して、中央部Ｃと凹部１２０の底面の位置を同等となるように形成してもよい。また、凹部１２０の形状は他の形状であってもよい。【００８３】
第三実施形態に係る支承部１３０は、図１８の（ｂ）及び図１９の（ａ）に示すように、下層ブレード１１３ｂに形成された貫通孔１３１に貫通するとともに、滑走板１１７と上層ブレード１１３ａの間に設置されている。
支承部１３０は、上下に接触して設置された回転体１３２と、回転体１３２に挿通された回転軸１３３と、回転軸１３３が挿通されたＴ型金具１３４と、Ｔ型金具１３４と下層ブレード１１３ｂとを接合する接合部１３５とを有する。【００８４】
回転体１３２は、下方に位置する第一回転体１３２ａと上方に位置する第二回転体１３２ｂとからなり、それぞれ同一の直径からなる硬質ゴム製の球体である。第一回転体１３２ａは、下端が滑走板１１７に接触されており、上端が第二回転体１３２ｂに接触されている。また、第二回転体１３２ｂは、下端が第一回転体１３２ａに接触されており、上端が上層ブレード１１３ａに接触されている。【００８５】
回転軸１３３は、第一回転体１３２ａ及び第二回転体１３２ｂの中心にそれぞれ挿通される第一回転軸１３３ａ及び第二回転軸１３３ｂとからなる。第一回転軸１３３ａ及び第二回転軸１３３ｂの軸方向は、遊技具１１０の長手方向と平行であって、かつ、水平に形成されている。回転軸１３３の両端はネジ溝が形成されており、ナット１３３ｃで留め付けられている。【００８６】
Ｔ型金具１３４は、図１９の（ａ）に示すように、一対の第一Ｔ型金具１３４ａ及び第二Ｔ型金具１３４ｂからなり、回転体１３２を軸支するとともに、接合部１３５を介して下層ブレード１１３ｂに接合されている。Ｔ型金具１３４は、図２０に示すように、長孔１３６，１３６が穿設された基板部１３７と、基板部１３７から垂直に形成された張出し部１３８とを有する。長孔１３６は、上下に延在された断面視長丸形状を呈し、基板部１３７に二箇所穿設されている。長孔１３６は、回転軸１３３に挿通され、回転軸１３３が長孔１３６内で上下に移動可能に形成されている。即ち、回転軸１３３の軸径は、長孔１３６の孔幅よりも小さく形成されるとともに、回転軸１３３の両端に設置されたナット１３３ｃは、基板部１３７から離間した位置で留め付けられている。張出し部１３８は、遊技具１１０の長手方向に平行に延設されており、接合部１３５によって下層ブレード１１３ｂに接合されている。【００８７】
接合部１３５は、図２０に示すように、Ｔ型金具１３４と下層ブレード１１３ｂを接合する部分である。接合部１３５は、張出し部１３８と下層ブレード１１３ｂに連通する連通孔に吸収材１４０が挿通されており、ワッシャ１４１を介してボルト１４２とナット１４３で締結されている。吸収材１４０は、ボルト１４２が挿通される中空部を有する円筒形状を呈すると共に、中央部分が内側にくびれた形状に形成されている。即ち、吸収材１４０の両端側は、中央部分よりも肉厚に形成されている。吸収材１４０は、例えば、公知のゴムブッシュを用いる。吸収材１４０を用いることで、支承部１３０に作用する荷重を吸収するとともに、長手方向の移動を許容するものである。また、吸収材１４０の両端側が中央部分よりも肉厚に形成されているため、作用する荷重に対して柔軟に対応することができる。【００８８】
かかる支承部１３０によれば、プレイヤーＰが前後方向（つま先側またはかかと側）に体重移動を行うと、第一回転体１３２ａ及び第二回転体１３２ｂが接触しながら回転軸１３３を軸に回転するため、上層ブレード１１３ａ及び下層ブレード１１３ｂが幅方向に円滑に摺動する。また、吸収材１４０が挿通されているため、支承部１３０に作用する荷重を吸収するとともに、上層ブレード１１３ａ及び下層ブレード１１３ｂの長手方向への動きを許容する。これにより、第一実施形態に係る遊技具１と同じようにプレイヤーＰの体重移動により、上層ブレード１１３ａ及び下層ブレード１１３ｂの第二エッジを滑走面に食い込ませることができるため、シャープにターンすることができる。【００８９】
ここで、仮に、回転軸１３３がＴ型金具１３４に固定されていると、第一回転体１３２ａ及び第二回転体１３２ｂが磨耗し、両者の間に隙間ができてしまい、空転する可能性がある。しかし、第三実施形態においては、長孔１３６が形成されているため、回転軸１３３が長孔１３６内を上下に移動する。これにより、プレイヤーＰの荷重が上方板１１６に作用すると、第一回転体１３２ａ及び第二回転体１３２ｂが常に接触するため、空転を防止することができる。【００９０】
なお、第三実施形態においては、前記した支承部１３０を用いたが、他の形態であってもよい。例えば、回転体１３２は、球体としたが、例えば楕円球形状としてもよい。また、Ｔ型金具１３４は、一対の金具を用いたが、一体的に形成してもよい。また、吸収材１４０の形状、材質は、プレイヤーＰのプレイスタイルに合わせて適宜設定すればよい。また、長孔１３６と回転軸１３３との磨耗を防ぐため、長孔１３６の内部の形状に沿って緩衝材を設けてもよい。【００９１】
＜第四実施形態＞
次に、本発明に係る第四実施形態について説明する。第四実施形態に係る発明は、上方板の上にプレイヤーが着座して、そりとして使用する形態である点で、第一実施形態と相違する。
図２１は、第四実施形態に係る遊技具を示した側面図である。図２２は、第四実施形態に係る遊技具を示した平面図である。図２１及び図２２に示すように、第四実施形態に係る遊技具２０１は、側面視略長円筒状を呈する本体部２０２と、本体部２０２の内部に設けられるブレード部２０３と、本体部２０２のノーズ板２０８側に設けられるハンドル機構部２１０と、ハンドル機構部２１０の両側に設けられる一対のブレーキ部２２０と、本体部２０２のテール板２０９側に設けられる座席機構部２３０と、座席機構部２３０の下方に設けられる滑り防止機構部２４０とを有する。遊技具２０１は、本体部２０２とブレード部２０３の構成については、第一実施形態と略同等であるため、簡単に説明する。【００９２】
本体部２０２は、プレイヤーが着座する上方板２０６と、滑走面と接する下方板２０７と、上方板２０６の一端と下方板２０７の一端とを連結するノーズ板２０８と、上方板２０６の他端と下方板２０７の他端とを連結するテール板２０９とを有する。本体部２０２は、図２２に示すように、長手方向の軸に対して略左右対称に形成されている。【００９３】
上方板２０６は、後記するハンドル機構部２１０や座席機構部２３０などが設けられる板材であって、中央部分が上方に凸となるように湾曲形成されている。上方板２０６は、平面視すると中央部分がくびれており、先端側及び後端側が先細りに形成されている。【００９４】
下方板２０７は、上方板２０６よりも幅狭に形成されている。下方板２０７の上面は、後記するブレード部２０３と接触している。下方板２０７の中央部分は、上方に向けて湾曲するチャンバーが設けられている。下方板２０７の幅方向の外側端部には、例えば、炭素鋼からなる第一エッジが形成されている。また、下方板２０７の幅方向の外側端部には、比較的曲率の小さい第一サイドカーブ（例えば、サイドカーブ半径８．８ｍ）が設けられている。【００９５】
ノーズ板２０８は、図２１に示すように、上方板２０６と下方板２０７の進行方向前側を連結し、テール板２０９は、上方板２０６と下方板２０７の進行方向後側を連結する。ノーズ板２０８及びテール板２０９は、それぞれ両外側に突出するように湾曲形成されている。【００９６】
図２３は、図２１のＩ−Ｉ断面図である。ブレード部２０３は、図２３に示すように、平面視略Ｘ形状を呈し、上側に位置する上層ブレード２０３ａと、下側に位置する下層ブレード２０３ｂとからなる。上層ブレード２０３ａ及び下層ブレード２０３ｂは、板状部材の両端を折り曲げて上方が開放するように形成されている。上層ブレード２０３ａは、図２３に示すように、進行方向前方左側から進行方向後方右側にかけて設けられており、下層ブレード２０３ｂは、進行方向前方右側から進行方向後方左側にかけて設けられている。ブレード部２０３の構成及び作用効果については、第一実施形態に係るブレード部３と略同等であるため、説明を省略する。【００９７】
ハンドル機構部２１０は、プレイヤーが把持する部分であって、プレイヤーの体重移動を容易にするためのものである。ハンドル機構部は２１０、上方板２０６から立設し、プレイヤーが把持する一対のハンドル部２１１と、一対のハンドル部２１１同士を中央で連結する基軸部２１２と、上方板２０６に基軸部２１２を取り付ける固着具２１３とを有する。【００９８】
ハンドル部２１１は、基軸部２１２から進行方向の斜め後方に向けて立設されている。ハンドル部２１１は、本実施形態においては、基軸部２１２と一体的に形成されている。ハンドル部２１１のうちプレイヤーが把持する部分は、下方に向けて延設されている。基軸部２１２は、上方板２０６の幅方向に延在する棒状部材であって、上方板２０６の外縁から外側に向けて突出している。
基軸部２１２は、図２４に示すように、上方板２０６に取り付けられる下側固着具２１３ａと、下側固着具２１３ａの上部に取り付けられる上側固着具２１３ｂとで挟持して固定されている。下側固着具２１３ａの上部及び上側固着具２１３ｂの下部は、基軸部２１２の外周に沿って円弧状に切り欠かれており、基軸部２１２を隙間なく挟み込む。上方板２０６と下側固着具２１３ａはボルトを介して取り付けられている。また、下側固着具２１３ａと上側固着具２１３ｂは、ボルトを介して取り付けられている。【００９９】
なお、基軸部２１２のうち、固着具２１３と接触する部分の外周には、微細な凸条（図示省略）が設けられている。これにより、ハンドル部２１１に所定の力が作用した場合にのみ、ハンドル部２１１が基軸部２１２を中心に可動するように形成されている。【０１００】
ブレーキ部２２０は、図２５及び図２６に示すように、上方板２０６の左右両側に取り付けられており、滑走している遊技具２０１を停止させるものである。ブレーキ部２２０は、基軸部２１２を中心に回転可能に取り付けられた押し板２２１と、基軸部２１２に巻回されたコイルスプリング２２３と、基軸部２１２と押し板２２１とを連結するブラケット２２４とを有する。【０１０１】
押し板２２１は、プレイヤーの足が配置される板材であって、押し板２２１の下端が滑走面と接触することで、遊技具２０１の制動を促すものである。押し板２２１は、図２２に示すように、それぞれの押し板２２１の上端側（先端側）が上方板２０６の中央方向に向けて弧を描くように形成されている。押し板２２１は、図２６に示すように、後方に向けて傾斜しており、押し板２２１の下端と下方板２０７は略同等の高さ位置になるように形成されている。押し板２２１は、基軸部２１２の円周方向に所定の角度の範囲内において回転可能に取り付けられている。【０１０２】
コイルスプリング２２３は、図２５に示すように、基軸部２１２の円周に巻回されている。コイルスプリング２２３の一端２２３ａは、上方板２０６に当接されており、他端２２３ｂは、押し板２２１の裏面に当接されている。したがって、押し板２２１には、基軸部２１２を中心にして、常に時計回り方向に力が作用している。
ブラケット２２４は、図２６に示すように、基軸部２１２に挿通されており、基軸部２１２と押し板２２１とを連結する部材である。ブラケット２２４は、押し板２２１にボルトにより取り付けられている。【０１０３】
次に、ブレーキ部２２０の動作について説明する。プレイヤーが、押し板２２１に足を押し当てて、滑走面方向に押し板２２１を傾け、押し板２２１の下端を滑走面に接触させることで、遊技具２０１を減速又は停止させることができる。また、押し板２２１から足を離す（押圧力を緩める）と、コイルスプリング２２３の反力によって、押し板２２１の下端が押し上げられるため、滑走面から押し板２２１の下端が離れ、ブレーキを解除することができる。
押し板２２１に、外力が作用していない場合においては、コイルスプリング２２３のねじり反力によって押し板２２１に基軸部２１２を中心に反時計周りの力が作用するため、押し板２２１の先端（上端）が上方板２０６の上面に当接される。【０１０４】
なお、ブレーキ部２２０は、前記したように形成したが、他の形態であってもよい。例えば、コイルスプリング２２３に換えて板バネや他の弾性部材を用いてもよい。また、ブレーキ部２２０は必ずしも設ける必要はない。【０１０５】
座席機構部２３０は、図２７に示すように、プレイヤーが着座する部分である。座席機構部２３０は、上方板２０６に設置される土台部２３１と、土台部２３１の上方に設けられる座席部２３２と、土台部２３１と座席部２３２とをピン接合により連結するヒンジ部２３４とを有する。座席部２３２は、ヒンジ部２３４を中心として、回転可能に形成されている。【０１０６】
図２２に示す座席部２３２は、ノーズ板２０８側を先細りに形成し、テール板２０９側を幅広に形成することにより、人の臀部が好適にフィットするようになっている。座席部２３２の下部には、下方に向けて突出するとともに、上方板２０６の長手方向に沿って凸条２３５が形成されている。
土台部２３１は、座席部２３２を支持する部材であって、土台部２３１の上面には、上方板２０６の長手方向に沿って、凹部２３６が切り欠かれている。即ち、図２８に示すように、座席部２３２の凸条２３５と、土台部２３１の凹部２３６が隙間なく係合することにより、座席部２３２の進行方向に対して左右方向の揺れを防止するため、プレイヤーが安定して着座することができる。【０１０７】
滑り防止機構部２４０は、図２９に示すように、座席機構部２３０の下方に設置されており、プレイヤーが乗っていないのにもかかわらず、遊技具２０１が斜面を滑走しないようにするためのものである。滑り防止機構部２４０は、上方板２０６の幅方向に延設された中空パイプ２４１と、中空パイプ２４１の中に挿入されるとともに、滑走面と接触するストッパー部２４２と、中空パイプ２４１の外周に巻回されるコイルスプリング２４３と、を有する。【０１０８】
中空パイプ２４１は、図２２に示すように、座席部２３２の下方において、上方板２０６の幅方向に延設されており、ブラケット２４４によって、上方板２０６に取り付けられている。ストッパー部２４２は、図２９及び図３０に示すように、中空パイプ２４１に挿通される軸部２４２ａと、軸部２４２ａの両端から滑走面に向けて延設された接触部２４２ｂと、軸部２４２ａの両端から座席部２３２に向けて延設された当接部２４２ｃと、を有し一体的に形成されている。【０１０９】
接触部２４２ｂは、図２９に示すように、軸部２４２ａから延設された棒状の部材であって、軸部２４２ａから進行方向後方側に傾斜して形成されている。接触部２４２ｂの長さは、軸部２４２ａから滑走面までの距離よりも大きくなるように形成されている。当接部２４２ｃの先端（上端）は、座席部２３２の裏面に当接されている。
なお、接触部２４２ｂは、本実施形態においては、軸部２４２ａの両端に形成されているが、どちらか一方に形成されていてもよい。【０１１０】
コイルスプリング２４３は、図２９及び図３０に示すように、中空パイプ２４１の外周に巻回されている。コイルスプリング２４３の一端２４３ａは、座席部２３２の裏側に当接されており、他端２４３ｂは接触部２４２ｂを保持している。コイルスプリング２４３の他端２４３ｂには、環状に形成された保持具２４３ｃが取り付けられており、保持具２４３ｃに接触部２４２ｂが挿通されている。【０１１１】
コイルスプリング２４３は、図２９に示すように、遊技具２０１の外側から側面視すると、コイルスプリング２４３の一端２４３ａから他端２４３ｂにかけて中空パイプ２４１の外周に時計回りに巻回されている。これにより、コイルスプリング２４３の一端２４３ａは、軸部２４２ａを中心に時計回りの力が作用している。また、コイルスプリングの他端２４３ｂは、軸部２４２ａを中心に反時計回りの力が作用している。したがって、外力が作用していない場合（プレイヤーが座席部２３２に着座していない場合）は、接触部２４２ｂは、滑走面に常に接触するため、遊技具２０１の滑走を防止することができる。【０１１２】
一方、プレイヤーが座席部２３２に着座すると、座席部２３２が下方に押圧されるとともに、当接部２４２ｃが軸部２４２ａを中心に時計回りに回転する。これにより、接触部２４２ｂが、滑走面から離脱される。したがって、滑り防止機構部２４０によれば、プレイヤーが座席部２３２に座るだけで、自動的に滑り防止機能を解除して滑走することができる。【０１１３】
なお、本実施形態においては、滑り防止機構部２４０を前記したように形成したが、これに限定するものではなく他の形態であってもよい。【０１１４】
以上説明した第四実施形態によれば、そりのように上方板２０６に着座して操作することもできる。この際、プレイヤーの臀部は、座席部２３２に好適に収まるとともに、ハンドル部２１１を把持することで安定した姿勢を保つことができる。これにより、体重移動を容易に行うことができるため、遊技具の操作性を高めることができる。また、遊技具２０１は、第一実施形態に係るブレード部３と略同等の構成からなるブレード部２０３を備えているため、滑走面から受けるプレイヤーへの衝撃を緩和するとともに、プレイヤーの体重移動により上層ブレード２０３ａ及び下層ブレード２０３ｂが滑走面を捉えてよりシャープにターンすることができる。【０１１５】
また、ブレーキ部２２０を有するため、遊技具２０１を好適に制動させることができる。また、滑り防止機構部２４０を有するため、プレイヤーが乗っていないのに遊技具２０１が滑走してしまうことを防止することができる。【０１１６】
＜第五実施形態＞
次に、本発明に係る第五実施形態について説明する。図３１は、第五実施形態に係る遊技具の進行方向後方側を示した一部破断側面図である。第五実施形態に係る遊技具３０１は、滑走面と接触するキャタピラを備えた駆動機構部３１０を有する点で他の実施形態と相違する。駆動機構部３１０以外は第四実施形態と略同等であるため、重複する部分については説明を省略する。【０１１７】
駆動機構部３１０は、遊技具３０１の進行方向後方に設置されており、遊技具３０１を自走させるためのものである。駆動機構部３１０は、図３１及び図３２に示すように、下方板３０７にブラケット３１２を介して取り付けられる一対の軸３１１と、それぞれの軸３１１の長手方向に所定の間隔を開けて設けられる駆動輪３１６と、駆動輪３１６に周設されるキャタピラ３１３と、チェーン３１４を介して軸３１１に連結される駆動部３１５とを有する。【０１１８】
軸３１１は、下方板３０７において平行に離間して配置されており、一対のブラケット３１２，３１２を介して設置されている。駆動輪３１６は、下方板３０７の幅方向に離間して軸３１１に２個ずつ設けられており、軸３１１と一体的に回転する。一対のキャタピラ３１３，３１３は、下方板３０７の幅方向に離間して設けられており、前後方向に離間する一対の駆動輪３１６，３１６に掛け渡されている。下方板３０７の下面は一部に孔が形成されており、キャタピラ３１３の下面が滑走面に接触するように形成されている。駆動部３１５は、例えばガソリンを燃料とするエンジンからなり、チェーン３１４を介して軸３１１に連結されている。駆動機構部３１０がこのように形成されているため、前方又は後方に回転するキャタピラ３１３が滑走面を捉え、滑走面の傾斜によらずに遊技具３０１を自走させることができる。【０１１９】
なお、駆動機構部３１０は、本発明をそりとして使用する場合を例にして説明したが、第一実施形態のスノーボードとして使用する場合や、第二実施形態のようにスキーとして使用する場合においても用いることができる。【０１２０】
＜第六実施形態＞
次に、本発明に係る第六実施形態について説明する。図３３は、第六実施形態に係る遊技具を示した一部破断平面図である。第六実施形態に係る遊技具４０１は、第四実施形態に係る遊技具２０１の構成に加えて、タイヤを設けたことを特徴とする。即ち、第六実施形態に係る遊技具４０１のブレード部４０３の前方及び後方には、タイヤ４１０,４１０，４１０，４１０が設けられている。【０１２１】
タイヤ４１０は、図３３に示すように、上層ブレード４０３ａ、下層ブレード４０３ｂのうち、下方板４０７よりも外側に突出する突出部４４３にそれぞれ設けられている。タイヤ４１０の取り付け部分については、いずれも略同等であるため、進行方向前方右側に係るタイヤ４１０を例にして説明する。【０１２２】
タイヤ４１０は、図３４及び図３５に示すように、ブラケット４１２によって固定されている軸４１３に回転可能に取り付けられている。軸４１３のうちタイヤ４１０の反対側は、ナット４１４で留め付けられている。タイヤ４１０の内部には、例えばベアリングなどが内設されており、軸４１３を中心に円滑に回転するように形成されている。タイヤ４１０の外周面は、図３５に示すように、走行面Ｓ’と接触するように形成されている。【０１２３】
次に、図３６を用いて、第六実施形態に係る遊技具４０１の動作について説明する。説明においては、遊技具４０１のノーズ板４０８側に進むものとし、進行方向右側にターンする場合を例に説明する。
プレイヤーは、進行方向右側にターンする場合、体重（重心）を進行方向右側に移動させる。すると、下層ブレード４０３ｂの突出部４４３ａが進行方向（右斜め前方）に突出する。そのため、軸部４１３ａは、下方板４０７の幅方向の軸線ｊに対して角度σ１だけ外側に傾斜する。また、上層ブレード４０３ａの突出部４４３ｄも、進行方向（右斜め前方）に向けて突出する。そのため、軸部４１３ｄは、下方板４０７の幅方向の軸線ｋに対して角度σ２だけ内側に傾斜する。【０１２４】
即ち、遊技具４０１に係るタイヤ４１０は、プレイヤーが進行方向に向かって左右に体重を移動させると、上層ブレード４０３ａ及び下層ブレード４０３ｂの動作により、下方板４０７の外側端部に形成されたサイドカーブＲに沿って傾くため、スムーズにターンすることができる。【０１２５】
なお、タイヤは、本実施形態のように遊技具をそりとして使用する場合において設ける場合だけでなく、第一実施形態にかかる遊技具１にタイヤを設けることで、スケートボードのように使用してもよい。また、第二実施形態に係る遊技具９０にタイヤを設けることで、ローラースケートのように使用してもよい。【０１２６】
以上、本発明に係る実施形態について説明したが、これに限定されるものではなく本発明の趣旨を逸脱しない範囲において、適宜変更が可能である。例えば、第四実施形態乃至第六実施形態においては、上方板と下方板の間に設けるスプリングや、上層ブレード及び下層ブレードの間に介設される支承部を設けてもよい。また、使用用途は遊技だけでなく、他の用途に用いてもよい。
また、ノーズ板の外側及びテール板の外側に例えばゴム等の緩衝材を設けてもよい。これにより、人や物と衝突しても衝撃を吸収することができる。
また、ブレード部は、実施形態の説明においては、下方板よりも外側に突出する突出部を設けることにより、プレイヤーが体重移動を行うと滑走面を捉えるように形成したが、これに限定されるものではない。即ち、ブレード部に突出部を設けずに、プレイヤーへの衝撃を吸収するための弾性部材としてのみに用いてもよい。【０１２７】
ブレード部（弾性機構部）は、本実施形態においては、遊技具に対して用いたが、これに限定されるものではなく他の用途に用いてもよい。例えば、ロボットや自動車などにおいて、外力を受ける上方板又は下方板の間に本発明に係るブレード部（弾性機構部）を設けることで、外力からの衝撃を吸収することができる。
【図１】
2009037750.tif 000003
【図２】
2009037750.tif 000004
【図３】
2009037750.tif 000005
【図４】
2009037750.tif 000006
【図５】
2009037750.tif 000007
【図６】
2009037750.tif 000008
【図７】
2009037750.tif 000009
【図８】
2009037750.tif 000010
【図９】
2009037750.tif 000011
【図１０】
2009037750.tif 000012
【図１１】
2009037750.tif 000013
【図１２】
2009037750.tif 000014
【図１３】
2009037750.tif 000015
【図１４】
2009037750.tif 000016
【図１５】
2009037750.tif 000017
【図１６】
2009037750.tif 000018
【図１７】
2009037750.tif 000019
【図１８】
2009037750.tif 000020
【図１９】
2009037750.tif 000021
【図２０】
2009037750.tif 000022
【図２１】
2009037750.tif 000023
【図２２】
2009037750.tif 000024
【図２３】
2009037750.tif 000025
【図２４】
2009037750.tif 000026
【図２５】
2009037750.tif 000027
【図２６】
2009037750.tif 000028
【図２７】
2009037750.tif 000029
【図２８】
2009037750.tif 000030
【図２９】
2009037750.tif 000031
【図３０】
2009037750.tif 000032
【図３１】
2009037750.tif 000033
【図３２】
2009037750.tif 000034
【図３３】
2009037750.tif 000035
【図３４】
2009037750.tif 000036
【図３５】
2009037750.tif 000037
【図３６】
2009037750.tif 000038
【国際調査報告】
2009037750.tif 000039
2009037750.tif 000040
2009037750.tif 000041
2009037750.tif 000042
2009037750.tif 000043
2009037750.tif 000044